(57)【要約】【課題】自装置が有する機能及び機能の設定情報、或いは、自装置内に蓄積している画像の内容を一目にして容易に把握することを可能とする画像入力装置を提供すること。【解決手段】画データＧを生成する手段と、生成した画データＧを記憶するＲＡＭ５と、前記記憶手段に記憶されている画データＧの縮小画データＧ２を生成する縮小画データ生成手段と、複数の縮小画データＧ２を１頁にまとめた印刷用データを生成する印刷用データ生成手段と、生成された印刷用データを出力する出力手段と、を備える画像入力装置１。【選択図】図７
2005072928.tif 000002
【特許請求の範囲】
【請求項１】
画データを生成する手段と、生成した画データを記憶する記憶手段と、記憶している画データの印刷用データを生成する印刷用データ生成手段と、生成された印刷用データを出力する出力手段と、を備えることを特徴とする画像入力装置。
【請求項２】
前記記憶手段に記憶されている画データの縮小画データを生成する縮小画データ生成手段をさらに備え、前記印刷用データ生成手段は、前記縮小画データ生成手段により生成された複数の縮小画データを１頁にまとめた印刷用データを生成することを特徴とする請求項１記載の画像入力装置。
【請求項３】
機器設定情報を記憶する記憶手段と、記憶している機器設定情報の印刷用データを生成する印刷用データ生成手段と、生成した機器設定情報の印刷用データを出力する出力手段と、を備えることを特徴とする画像入力装置。
【発明の詳細な説明】
【技術分野】
【０００１】
本発明は、プリント機能を持たないデジタルカメラ等の画像入力装置に関し、詳しくは、ユーザが画像入力装置の機能及び機能の設定情報、或いは、画像入力装置が蓄積している画像の内容を容易に把握することができる画像入力装置に関する。
【背景技術】
【０００２】
従来、プリント機能を持たないデジタルカメラ等の画像入力装置では、どのような機能を備えているか、現在の機能設定はどのよになっているかが分かり難いという問題があった。表示画面を備える画像入力装置であれば、最初にメニュー画面を表示させ、メニュー画面からサブメニューに移行することで、一部の機能やその設定情報を確認することができるものの（例えば、特許文献１参照。）、全ての機能や設定情報を一目にして容易に把握することはできなかった。
【特許文献１】特開２００３−２２３２５３号公報
【発明の開示】
【発明が解決しようとする課題】
【０００３】
このように、画像入力装置において、自装置がどのような機能を備えているか、現在の機能設定（機器設定情報）がどのようになっているかを確認するには、最初にメニュー画面を表示させ、メニュー画面から何れかのサブメニューへ移行して一部の機能や設定情報を表示させることができるに過ぎず、更にその他の機能や設定情報を表示画面に表示させるためには、再びメニュー画面に戻って他のサブメニューへ移行する必要がある。したがって、従来の画像入力装置では、同時に全ての機能や設定情報を分かりやすく表示させることはできなかった。全ての機能や設定情報を１つの表示画面に表示させるには、表示画面のサイズを大きくするか、文字サイズを小さくすればよいと考えられる。しかし、携帯性を重視するデジタルカメラ等では、表示画面を大きくすることは困難であり、一方、文字サイズを小さくすれば、文字が読み辛くなるという新たな問題を生じることとなる。
【０００４】
また、表示画面の大きさに上記した制限があることから、撮像された多数の画像を同時に表示させてそれら画像の内容を一目にして容易に把握することができない、という問題もある。
【０００５】
本発明は、かかる課題に鑑みてなされたものであり、自装置が有する機能及び機能の設定情報、或いは、装置内に蓄積している画像の内容を一目にして容易に把握することを可能とする画像入力装置を提供することを目的とする。
【課題を解決するための手段】
【０００６】
請求項１記載の画像入力装置は、画データを生成する手段と、生成した画データを記憶する記憶手段と、記憶している画データの印刷用データを生成する印刷用データ生成手段と、生成された印刷用データを出力する出力手段と、を備えることを特徴としている。
【０００７】
請求項２記載の画像入力装置は、請求項１記載の画像入力装置において、前記記憶手段に記憶されている画データの縮小画データを生成する縮小画データ生成手段をさらに備え、前記印刷用データ生成手段は、前記縮小画データ生成手段により生成された複数の縮小画データを１頁にまとめた印刷用データを生成することを特徴としている。
【０００８】
請求項３記載の画像入力装置は、機器設定情報を記憶する記憶手段と、記憶している機器設定情報の印刷用データを生成する印刷用データ生成手段と、生成した機器設定情報の印刷用データを出力する出力手段と、を備えることを特徴としている。
【発明の効果】
【０００９】
請求項１記載の画像入力装置によれば、蓄積されている画データの印刷用データ（例えばＰＤＬ）を生成する手段を備えるので、これをプリントドライバ装置等を介することなく直接プリンタに出力して印刷することができる。したがって、ユーザは、迅速且つ簡単に自装置に蓄積されている画データの内容を確認することができる。
【００１０】
請求項２記載の画像入力装置によれば、自装置に蓄積されている複数の画データの縮小版が１枚の記録紙に纏めてプリントされたものを取得することができるので、一目にして蓄積されている画データを確認することができる。
【００１１】
請求項３記載の画像入力装置によれば、自装置の機器設定情報の印刷用データ（例えばＰＤＬ）を生成する手段を備えるので、これをプリントドライバ装置等を介することなく直接プリンタに出力して印刷することができる。したがって、ユーザは、迅速且つ一目にして自装置の機器設定情報を把握することができる。
【発明を実施するための最良の形態】
【００１２】
以下本発明の第１の実施の形態に係る画像入力装置について図面に基づき説明する。図１に画像入力装置（デジタルカメラ）１の構成例を示す。すなわち、画像入力装置１は、ＣＣＤ（Ｃｈａｒｇｅ  Ｃｏｕｐｌｅｄ  Ｄｅｖｉｃｅ）２、Ａ／Ｄコンバータ３、制御部４、ＲＡＭ（ランダムアクセスメモリー）５、ＯＴＧコントローラ６、ＣＣＤコントローラ７、操作部８、表示部９、ストロボ１０、ストロボコントローラ１１、ＵＳＢ（Ｕｎｉｖｅｒｓａｌ  Ｓｅｒｉａｌ  Ｂｕｓ）ポート１２等から構成される。
【００１３】
ＣＣＤ２は、光を電気信号に変換する受光素子を備え、ＣＣＤの受光面に入射した被写体光は、入射光量に応じた量の信号電荷に変換され、画像信号として読み出され、Ｒ、Ｇ、Ｂの各色信号に分離されて、Ａ／Ｄコンバータ３に出力される。
【００１４】
Ａ／Ｄコンバータ３は、ＣＣＤ２から出力された画像信号をデジタル信号に変換する。デジタル化された画データは、制御部４によりファイル化、ファイル圧縮等の処理が施され、ＲＡＭ５に蓄積される。
【００１５】
制御部４は、ＭＰＵ（Ｍｉｃｒｏｐｒｏｃｅｓｓｉｎｇ  Ｕｎｉｔ）、ＲＯＭ（リードオンリーメモリー）、ＲＡＭ等からなるマイクロコンピュータなどで構成され、画像入力装置１の各部を制御する。制御部４は、ＣＣＤ２により撮像（生成）された画データをファイル化等する画データ処理部として機能し、また、印刷用データ形式の１つであるＰＤＬ（Ｐａｇｅ  Ｄｅｓｃｒｉｐｔｉｏｎ  Ｌａｎｇｕａｇｅ；ページ記述言語）形式の印刷用データを生成する印刷用データ生成部として機能する。
【００１６】
ＲＡＭ５は、撮像された画データＧを蓄積する記憶部として機能する。また、ＲＡＭ５の所定領域には、画像入力装置１の機器設定情報１３が格納されている。
【００１７】
図２に示すように、機器設定情報１３は、画像入力装置１が有する機能を格納する「機能」欄と、各機能毎に設定可能項目を格納する「設定項目」欄と、各機能毎に現在の設定情報を格納する「現在設定」欄で構成されいている。本実施の形態においては、図示する機器設定情報１３を例に挙げて説明するが、機器設定情報１３を構成する機能や設定項目の種類などは、様々であり、本発明を適用する画像入力装置によって異なる態様となることは言うまでもない。
【００１８】
ＯＴＧコントローラ６は、ＵＳＢ−ＩＦ（Ｉｍｐｌｅｍｅｎｔｅｒｓ  Ｆｏｒｕｍ）が公開している規格であるＯＴＧ（Ｏｎ−Ｔｈｅ−Ｇｏ）を搭載したコントローラである。これにより、画像入力装置１からＵＳＢを通じて同じくＯＴＧを搭載したプリンタ１５へパーソナルコンピュータを介さないで直接画データを送信して印刷させることが可能となる。
【００１９】
ＣＣＤコントローラ７は、ＣＣＤ２の撮影タイミングを制御する。ストロボコントローラ１１は、ストロボ１０の発光の制御を行う。操作部８は、各種の操作を行うためのキー等を備え、オペレータによる各種操作はこの操作部８において行われる。表示部９は、例えば、操作部８に並設されたＬＣＤ（Ｌｉｑｕｉｄ  Ｃｒｙｓｔａｌ  Ｄｉｓｐｌａｙ）からなり、各種の画面情報を表示する。
【００２０】
以下、上記構成を備える画像入力装置１おいて、ＲＡＭ５に記憶されている機器設定情報１３をプリンタ１５に出力するために実行される画像入力装置１の処理動作について、図３に示すフローチャートに基づいて説明する。なお、以下にフローチャートに基づいて説明する画像入力装置１の処理動作は、制御部４のＲＯＭ（不図示）に格納されている制御プログラムに基づいて同制御部４のＭＰＵ（不図示）が発行する命令に従って行われる。また、後述するプリンタ１５は、画像入力装置１からレジデントフォントを要求する所定信号を受信すると、これに応じて自身が有するレジデントフォントの情報を返信する処理動作を行う。
【００２１】
オペレータによって、画像入力装置１とプリンタ１５がＵＳＢを介して接続され、画像入力装置１の操作部８から機器設定リストを印刷するための操作がなされると、制御部４は、該操作による機器設定リストの印刷指示を受付ける（Ｓ１）。
【００２２】
制御部４は、プリンタ１５に対してレジデントフォントを問い合わせるための所定の信号をプリンタ１５に対して出力し、該問い合わせの応答としてプリンタ１５からレジデントフォントの情報を受信する（Ｓ２）。
【００２３】
そして、受信したプリンタ１５のレジデントフォントに従って、ＲＡＭ５に格納されている機器設定情報１３の印刷用データを生成する（Ｓ３）。機器設定情報１３の印刷用データは、例えば図４に示すように、図２に示した機器設定情報１３の「機能」欄に格納された機能と、「設定項目」欄に格納された設定項目とを表示し、さらに現在の設定情報として「現在設定」欄に格納された設定項目を他の項目と識別可能に表示（本実施の形態においては、反転表示）する機器設定リスト１３Ａをプリンタ１５に印刷させるためのデータである。
【００２４】
生成された印刷用データは、ＯＴＧコントローラ６によって、ＵＳＢを通じてプリンタ１５へ送信（出力）され（Ｓ４）、プリンタ１５は、受信した機器設定情報１３の印刷用データに基づき記録紙上に印刷処理を行う。この結果、図４に示したような機器設定リスト（機器設定情報）１３Ａが得られる。
【００２５】
ユーザは、記録紙上に印刷された、図４に示すような、機器設定リスト１３Ａを取得することにより、装置１が有する全ての機能を一目にして把握することができ、しかも、各機能の設定情報も同時に把握することができる。
【００２６】
また、画像入力装置１は、プリンタ１５のレジデントフォントを取得し、これを用いて印刷用データを生成するので、画像入力装置１側にフォントデータを記憶させるための記憶資源を確保する必要がなく、メモリ等の記憶資源の小型化が図られる。
【００２７】
次に、画像入力装置１において、ＲＡＭ５に蓄積されている撮像により生成された画データＧの一覧をプリンタ１５に出力する際に実行される画像入力装置１の処理動作について、図５及び図６に示すフローチャートに基づいて説明する。
【００２８】
オペレータによって、画像入力装置１とプリンタ１２がＵＳＢを介して接続され、画像入力装置１の操作部８からＲＡＭ５に蓄積されている画データＧの一覧を印刷するための操作がなされると、制御部４は、該操作による画データＧの一覧の印刷指示を受付ける（Ｓ５１）。
【００２９】
制御部４は、プリンタ１５に対してレジデントフォントを問い合わせるための所定の信号をプリンタ１５に対して出力し、該問い合わせの応答としてプリンタ１５からレジデントフォントの情報を受信する（Ｓ５２）。
【００３０】
そして、受信したプリンタ１５のレジデントフォントに従って、ＲＡＭ５に蓄積されている１以上の画データＧ及び各画データのファイル名を並べて１頁にまとめた印刷用データを生成する（Ｓ５３）。
【００３１】
より詳細に説明すると、制御部４は、図７に示すように、ＲＡＭ５に蓄積されている画データＧに対して画像縮小処理を施して、サムネイル画データ（縮小画データ）Ｇ２を生成する（Ｓ６１）。そして、１頁の印刷領域Ｗ内へのサムネイル画データＧ２の配置処理を行い、さらに、サムネイル画データＧ２のファイル名Ｆ（縮小前の画データＧのファイル名）を配置された各サムネイル画データＧ２に並べて配置する処理を行う（Ｓ６２）。そして、このように印刷領域Ｗ内に配置されたサムネイル画データＧ２及びファイル名Ｆの印刷用データを生成する（Ｓ６３）。本実施の形態においては、１頁の印刷領域Ｗを例に挙げて説明しているが、蓄積画データＧが多い場合は、印刷領域Ｗを複数頁としてもよい。
【００３２】
生成された印刷用データは、ＯＴＧコントローラ６によって、ＵＳＢを通じてプリンタ１５へ送信（出力）され（Ｓ５４）、プリンタ１５は、受信したサムネイル画データＧ２とファイル名Ｆ等からなる印刷用データに基づき記録紙上に印刷処理を行う。この結果、図７の右部に示すような、画データのリストが印刷されたものが得られる。
【００３３】
このようにして、記録紙上に印刷されたファイル名とサムネイル（縮小）画像からなる画データのリストには、画像入力装置１のＲＡＭ５に蓄積されている複数の画像の縮小版がプリントされており、加えてファイル名も各々表示されているので、ユーザは、蓄積されている画データ（写真）を一目にして容易に把握することができ、各サムネイル画像に並べて表示されているファイル名により各画像の所在の特定等をも容易に行うことができる。
【００３４】
以上説明した実施の形態においては、画データＧの縮小処理が行われるようになっているが、画像入力装置がＥｘｉｆ（Ｅｘｃｈａｎｇｅａｂｌｅ  Ｉｍａｇｅ  Ｆｉｌｅ  Ｆｏｒｍａｔ）形式に対応する場合は、撮像（生成）された画データとともに、サムネイル、撮影日時情報が同一ファイルに保存されるので、当該サムネールの配置処理のみを行い、上記画像縮小処理を省略してもよい。さらに、ファイル名に撮影日時情報を並べて上記処理を行うようにしてもよい。
【００３５】
以上説明した、本実施の形態に係る画像入力装置としては、デジタルカメラを例に挙げて説明したが、画像入力装置は、機器設定情報１３、画データＧ等を記憶、蓄積等するものであれば、デジタルカメラに限定されず、デジタルカメラ以外の画像入力装置、例えばスキャナ等、にも本発明を適用することができる。
【産業上の利用可能性】
【００３６】
本発明は、例えば、デジタルカメラ、スキャナ等の画像入力装置に適用することができる。
【図面の簡単な説明】
【００３７】
【図１】本発明の実施の形態に係る画像入力装置の構成例を示した図である。
【図２】機器設定情報の一例を示した図である。
【図３】本発明の実施の形態に係る画像入力装置が、機器設定情報の印刷指示を受付けたときに実行する処理動作を示したフローチャートである。
【図４】印刷された機器設定リストの一例を示した図である。
【図５】本発明の実施の形態に係る画像入力装置が、画像一覧の印刷指示を受付けたときに実行する処理動作を示したフローチャートである。
【図６】本発明の実施の形態に係る画像入力装置が、画像一覧の印刷指示を受付けたときに実行する処理動作を示したフローチャートである。
【図７】本発明の実施の形態に係る画像入力装置が、画像一覧の印刷指示を受付け、印刷用データを生成するときの手順を示した概念図である。
【符号の説明】
【００３８】
Ｇ    画データ
Ｇ２    サムネイル画データ（縮小画データ）
１    画像入力装置
４    制御部
５    ＲＡＭ
１３    機器設定情報
１３Ａ    機器設定リスト（機器設定情報が記録紙に印刷されたもの）
１５    プリンタ
【図１】
2005072928.tif 000003
【図２】
2005072928.tif 000004
【図３】
2005072928.tif 000005
【図４】
2005072928.tif 000006
【図５】
2005072928.tif 000007
【図６】
2005072928.tif 000008
【図７】
2005072928.tif 000009